(57)【要約】【課題】十分な緩和作用が得られ、不要な通口が形成されることを防止する。【解決手段】底壁１０と、底壁１０に連設した側壁１１Ａ，１１Ｂと、底壁１０に連設した端壁２７Ｂとを備え、端壁２７Ｂが、折返壁３６を介して底壁１０に連設されるとともに、側壁１１Ａ，１１Ｂに対して連続壁４２を介して連続し、連続壁４２が、側壁１１Ａ，１１Ｂに対して第１折曲線４３によって区画される第１連続部４２ａと、端壁２７Ｂに第２折曲線４４によって区画される第２連続部４２ｂとを備え、これら連続部４２ａ，４２ｂを第３折曲線４５によって区画した包装箱において、折返壁３６と第１連続部４２ａとの間に、第２折曲線４４に沿って延びる一対の第１縁部４９ａ，４９ｂと、第３折曲線４５に沿って延びるとともに第１縁部４９ａ，４９ｂの両端間にかけて延びる一対の第２縁部５０ａ，５０ｂとを有する略平行四辺形状の抜部４８を設ける。【選択図】図１
2007331775.tif 000002
【特許請求の範囲】
【請求項１】
方形状をなす底壁と、該底壁の両側縁に連設した側壁と、前記底壁の少なくとも一端に連設した端壁とを備え、前記端壁が、前記底壁に対して内向きに屈曲される折返壁を介して連設されるとともに、隣接する側壁に対して連続壁を介して連続し、該連続壁が、前記側壁に対して第１折曲線によって区画される第１連続部と、前記端壁に第２折曲線によって区画される第２連続部とを備え、これら第１および第２連続部を第２折曲線に対して傾斜して延びる第３折曲線によって区画した包装箱において、
前記折返壁と第１連続部との間に、前記第２折曲線に沿って延びる一対の第１縁部と、前記第３折曲線に沿って延びるとともに前記第１縁部の両端間にかけて延びる一対の第２縁部とを有する略平行四辺形状の抜部を設けたことを特徴とする包装箱。
【発明の詳細な説明】
【技術分野】
【０００１】
本発明は、包装箱に関するものである。
【背景技術】
【０００２】
本発明の包装箱に関連する先行技術文献情報としては次のものがある。
【０００３】
【特許文献１】特開２００２−３０２１１６号公報
【０００４】
この特許文献には、方形状をなす底壁と、該底壁の両側縁に連設した側壁と、前記底壁の両端に連設した端壁と、一方の側壁に連設した蓋壁とを有する包装箱が記載されている。そのうち、端壁は、底壁に対して、該底壁に重畳されるように折り返される折返壁を介して連設され、両端に内向きに窪む緩衝部を形成した構成としている。また、各端壁は、隣接する側壁に対して２つ折りされる連続壁を介して連続されている。なお、連続壁は、側壁に連続する第１連続部と端壁に連続する第２連続部とを備え、これらの境界部分に折曲線を形成したものである。
【０００５】
しかし、底壁、側壁、折返壁および第１連続部の角部が集中する部分と、端壁、折返壁および第２連続部の角部が集中する部分とは、組立状態で原材料である紙が複数積層されるため、その部分に反発力が生じる。そのため、組立作業性が悪くなるばかりか、紙に破断が生じるという問題がある。
【０００６】
そこで、この特許文献では、折返壁と第１連続部との間において、底壁から端壁の間にかけて延びる長方形状の抜部を設け、反発力の緩和を図り、組立作業性を向上するとともに、破断を防止している。
【０００７】
しかしながら、前記抜部では、十分な緩和作用を得ることができず、組立作業性を確実に向上することはできない。または、十分な緩和作用を得る代わりに、組立状態で内部に連通する不要な通口が形成される。
【発明の開示】
【発明が解決しようとする課題】
【０００８】
本発明は、従来の問題に鑑みてなされたもので、十分な緩和作用が得られ、不要な通口が形成されることのない包装箱を提供することを課題とするものである。
【課題を解決するための手段】
【０００９】
前記課題を解決するため、本発明の包装箱は、方形状をなす底壁と、該底壁の両側縁に連設した側壁と、前記底壁の少なくとも一端に連設した端壁とを備え、前記端壁が、前記底壁に対して内向きに屈曲される折返壁を介して連設されるとともに、隣接する側壁に対して連続壁を介して連続し、該連続壁が、前記側壁に対して第１折曲線によって区画される第１連続部と、前記端壁に第２折曲線によって区画される第２連続部とを備え、これら第１および第２連続部を第２折曲線に対して傾斜して延びる第３折曲線によって区画した包装箱において、前記折返壁と第１連続部との間に、前記第２折曲線に沿って延びる一対の第１縁部と、前記第３折曲線に沿って延びるとともに前記第１縁部の両端間にかけて延びる一対の第２縁部とを有する略平行四辺形状の抜部を設けた構成としている。
【発明の効果】
【００１０】
本発明の包装箱では、折返壁と第１連続部との間に平行四辺形状の抜部を設けているため、各壁の角部が集中する部分に不要な反発力は作用しない。そのため、十分な緩和作用を得ることができ、組立作業性を向上できる。抜部の第１縁部が第２折曲線に沿って延びるとともに、第２縁部が第３折曲線に沿って傾斜して延びるため、不要な通口が形成されることもない。
【発明を実施するための最良の形態】
【００１１】
以下、本発明の実施の形態を図面に従って説明する。
【００１２】
図１から図５は、本発明の実施形態に係る包装箱を示す。この包装箱は、ボトルなどのように、頭部１ａが胴部１ｂより縮径された商品１（図５参照）を収容するためのものである。この包装箱は、表紙および裏紙の間に波状の中しんを配設した周知の段ボール紙を、周知の紙器打抜装置（図示せず）によって図１に示す連続した１枚のブランクとして打ち抜き、所定部位を糊付けにより貼着して成形される。
【００１３】
この包装箱のブランクは、図１に示すように、長方形状をなす底壁１０を備え、その底壁１０の図中上下に位置する両側縁に側壁１１Ａ，１１Ｂが連設されている。そして、これら底壁１０と側壁１１Ａ，１１Ｂとの境界部分には、肉厚を圧縮するように罫を入れて形成した折曲線１２が設けられている。
【００１４】
本実施形態では、上側の側壁１１Ａには蓋壁１３が連設され、その境界部分に同様の折曲線１４が設けられている。また、この蓋壁１３には封緘代１５が連設されている。この封緘代１５は、第１封緘状態で側壁１１Ｂの上側縁に貼着される両側の貼着部１６Ａ，１６Ｂと、これらの間に位置し、第２封緘状態で側壁１１Ｂの内面側に挿入係止される挿入係止部１７とからなる。そして、蓋壁１３と貼着部１６Ａ，１６Ｂとの境界部分には、所定間隔をもって直線上に延びる複数の切断線と、各切断線の一端から貼着部１６Ａ，１６Ｂ内に向けて延びるガイド用切断線とからなる片ジッパー構造の第１破断線１８が設けられている。また、蓋壁１３と挿入係止部１７との境界部分には、折曲線と、該折曲線に沿って所定間隔をもって形成した複数の切断線とからなるリード罫構造の折曲線１９が設けられている。さらに、貼着部１６Ａ，１６Ｂと挿入係止部１７との境界部分には、第１破断線１８と同様の片ジッパー構造の第２破断線２０が設けられている。
【００１５】
一方、下側の側壁１１Ｂには、商品位置決め用の支持壁２１が一部に連設されている。そして、これら側壁１１Ｂと支持壁２１との境界部分には、前記挿入係止部１７との対応位置に略凹字形状の切断線からなる挿入孔部２２が設けられ、この挿入孔部２２の両側に折曲線２３が設けられている。前記挿入孔部２２の中央には、側壁１１Ｂの側に位置するように半円形状の抜き穴からなる指差込部２４が設けられている。また、支持壁２１には、略Ｊ字形状をなす一対の第１切断部２５ａ，２５ａと、これらの各一端間に設けた第２切断部２５ｂと、第１切断部２５ａ，２５ａの他端近傍間に設けた第３切断部２５ｃとで、略凹字形状をなす切起部２５が設けられている。そして、この切起部２５の両側には、リード罫構造の折曲線２６が設けられている。なお、第１切断部２５ａ上には、折曲線２６の折り曲げで破断される狭幅の非切断部が設けられている。また、第１切断部２５ａ，２５ａと第２切断部２５ｂとの間には、折り曲げても破断されない広幅の非切断部を有し、その非切断部に折曲線が設けられている。さらに、第３切断部２５ｃ上には、折曲線２６の折り曲げで破断される狭幅の非切断部が設けられている。
【００１６】
また、包装箱のブランクには、底壁１０の両側に端壁２７Ａ，２７Ｂが連設されている。そのうち、図中、底壁１０の右側に位置する端壁２７Ａは、底壁１０との境界部分に折曲線２８が設けられている。この端壁２７Ａには、図中右側に位置する先端縁に、封緘状態で内向きに屈曲される内フラップ２９が連設され、その境界部分にリード罫構造の折曲線３０が設けられている。また、端壁２７Ａには、封緘状態で側壁１１Ａ，１１Ｂの上側に位置するように糊代部３１が連設され、その境界部分に折曲線３２が設けられている。
【００１７】
本実施形態では、前記端壁２７Ａの側に商品１の頭部１ａを配置する構成としている。そして、商品１の頭部１ａを位置決めするために、端壁２７Ａおよび隣接する側壁１１Ａ，１１Ｂを連続する位置決め片３３が設けられている。この位置決め片３３は、側壁１１Ａ，１１Ｂに連続する折込部３３ａ，３３ａと、端壁２７Ａに連続する折込部３３ｂ，３３ｂとを備え、その各壁１１Ａ，１１Ｂ，２７Ａとの境界部分には折曲線３４が設けられている。また、これら折込部３３ａ，３３ｂの境界部分には、リード罫構造の折曲線３５が設けられている。言い換えれば、折込部３３ａ，３３ｂは、底壁１０の角部から４５度の傾斜角度で延びる折曲線３４，３４間の中央線が境界であり、その境界部分に折曲線３５が設けられている。
【００１８】
一方、図中、底壁１０の左側に位置する端壁２７Ｂは、商品１の底部１ｃが配置されるもので、封緘状態で底壁１０に対して重畳するように内向きに屈曲される折返壁３６を介して、該底壁１０と連設され、封緘状態では端壁２７Ｂが内向きに窪む緩衝部３７となるように構成している。底壁１０と折返壁３６との境界部分には折曲線３８が設けられ、端壁２７Ｂと折返壁３６との境界部分にはリード罫構造の折曲線３９が設けられている。また、端壁２７Ｂには、図中左側に位置する先端縁に、封緘状態で外向きに屈曲されるフラップ４０が連設され、その境界部分にリード罫構造の折曲線４１が設けられている。
【００１９】
そして、端壁２７Ｂと隣接する側壁１１Ａ，１１Ｂとは、連続壁４２を介して連続するように設けられている。この連続壁４２は、側壁１１Ａ，１１Ｂと連続する第１連続部４２ａと、端壁２７Ｂと連続する第２連続部４２ｂとを備えている。第１連続部４２ａは、隣接する側壁１１Ａ，１１Ｂに貼着される糊代となるもので、側壁１１Ａ，１１Ｂとの境界部分には第１折曲線４３が設けられている。第２連続部４２ｂは、側壁１１Ａ，１１Ｂとの連続により端壁２７Ｂを立設状態に維持するもので、端壁２７Ｂとの境界部分にはリード罫構造の第２折曲線４４が設けられている。また、これら連続部４２ａ，４２ｂの境界部分には第３折曲線４５が設けられている。言い換えれば、連続部４２ａ，４２ｂは、折返壁３６の角部から４５度の傾斜角度で延びる折曲線４３，４４間の中央線が境界であり、その境界部分に第３折曲線４５が設けられている。なお、連続部４２ａ，４２ｂの先端には、余分な突出を抑えるためにＬ字形状の切欠部４６が設けられている。また、第３折曲線４５の先端には、連続部４２ａ，４２ｂの折り曲げによる破断を防止するために、所定の歪み範囲を具備させる切込線４７が設けられている。
【００２０】
前記折返壁３６と第１連続部４２ａとの境界部分には、平行四辺形状をなす抜部４８が設けられている。この抜部４８は、端壁２７Ｂと第２連続部４２ｂとを区画した第２折曲線４４に沿って平行に延びる一対の第１縁部４９ａ，４９ｂと、連続部４２ａ，４２ｂを区画した第３折曲線４５に沿って平行に延びるとともに第１縁部４９ａ，４９ｂの両端間にかけて延びる一対の第２縁部５０ａ，５０ｂとを有する。第１縁部４９ａは、第２折曲線４４を基準として、段ボール紙の略肉厚分、折返壁３６（端壁２７Ｂ）の側に位置されている。また、第１縁部４９ｂは、平行に位置する第１縁部４９ａに対して段ボール紙の肉厚（約２．５ｍｍ）の２倍以上（例えば１５ｍｍ）の隙間が形成されるように設定されている。一方、第２縁部５０ａは、第３折曲線４５を基準として、段ボール紙の略肉厚分、第２連続部４２ｂの側に位置されている。また、第２縁部５０ｂは、底壁１０と側壁１１Ａ，１１Ｂとを区画した第１折曲線４３の略端部から、第２縁部５０ａと平行に延びるように設定されている。
【００２１】
前記ブランクからなる包装箱は、第１連続部４２ａ，４２ａの裏面側に熱溶融樹脂などの接着剤が塗布され、折曲線３８および第１折曲線４３に沿って折返壁３６および連続壁４２を折り曲げることにより、第１連続部４２ａ，４２ａと側壁１１Ａ，１１Ｂの内面とを貼着する。また、折曲線３９に沿って折返壁３６に対して端壁２７Ｂを上向きに折り曲げ、第２折曲線４４および第３折曲線４５に沿って端壁２７Ｂおよび第１連続部４２ａに対して第２連続部４２ｂを内向きに折り曲げる。
【００２２】
また、折曲線２８に沿って端壁２７Ａを底壁１０に対して上向きに折り曲げ、折曲線３２に沿って糊代部３１を端壁２７Ａに対して内向きに折り曲げる。同時に、折曲線に沿って位置決め片３３を側壁１１Ａ，１１Ｂおよび端壁２７Ａに対して内向きに折り曲げるとともに、折曲線３５に沿って折込部３３ａ，３３ｂを２つ折りして重畳させる。そして、糊代部３１の表面側に塗布した熱溶融樹脂などの接着剤で、該糊代部３１と側壁１１Ａ，１１Ｂとを貼着する。
【００２３】
これにより、図２に示すように、封緘前の包装箱が形成される。この際、本実施形態では、折返壁３６と第１連続部４２ａとの間に平行四辺形状の抜部４８を設けている。そのため、底壁１０、側壁１１Ａ，１１Ｂ、第１連続部４２ａおよび折返壁３６の角部が集中するＡ部は、底壁１０に対して側壁１１Ａ，１１Ｂが略９０度に屈曲するのみであり、第１連続部４２ａの縁が折返壁３６に干渉することはないため、不要な反発力は作用しない。また、端壁２７Ｂ、折返壁３６、第１連続部４２ａおよび第２連続部４２ｂの角部が集中するＢ部は、折返壁３６に対して端壁２７Ｂが略９０度に屈曲し、その連続部分から所定間隔をもった第１縁部４９ｂから上側の連続部４２ａ，４２ｂが重畳するため、不要な反発力は殆ど作用しない。そのため、十分な緩和作用を得ることができ、組立作業性を向上できる。
【００２４】
しかも、この組立状態では、抜部４８の第１縁部４９ａが第２折曲線４４に沿って延びるとともに、第２縁部５０ｂが底壁１０と側壁１１Ａ，１１Ｂとの略角部から傾斜して延びるため、Ａ部に不要な切り欠き部分が形成されることはない。同様に、第１縁部４９ａが第２折曲線４４に沿って延びるとともに、第２縁部５０ａが第３折曲線４５に沿って傾斜して延びるため、Ｂ部に不要な通口が形成されることもない。即ち、不自然な切り欠き部分が形成されることにより、外観を損なうことが防止できるとともに、不要な通口が形成されることにより、塵埃の侵入を防止できる。
【００２５】
ここで、図６（Ａ），（Ｂ）は長方形状をなす従来の抜部４８を適用した構成を示す。長方形の抜部４８の場合、図６（Ａ）に示すように、少なくとも底壁１０と折返壁３６との境界の折曲線３８から、折返壁３６と端壁２７Ｂとの境界の折曲線３９にかけて延びるように構成させる必要がある。この場合、組立状態ではＡ部に問題は生じないが、Ｂ部に複数層の重畳が生じるため、反発力が作用し、十分な緩和作用を得ることができない。これに対して、図６（Ｂ）に示すように、折曲線３８，３９を越えて延びるように抜部４８を設けた場合、十分な緩和作用は得ることができる。しかし、Ａ部に無意味な切り欠き部分が生じる。また、Ｂ部では、折曲線３９を越える程度によるが、小さい場合には緩和作用が低減する一方、大きい場合には端壁２７Ｂの下端に不要な通口が形成される。
【００２６】
そして、本実施形態では、抜部４８を第２折曲線４４および第３折曲線４５に沿って延びる縁部４９ａ，４９ｂ，５０ａ，５０ｂを有する略平行四辺形状とすることにより、十分な緩和作用が得られ、組立作業性を向上できるとともに、無駄な通口が形成されないように構成できる。
【００２７】
なお、前記包装箱に商品１を収容する場合、端壁２７Ａの側は、糊代部３１が側壁１１Ａ，１１Ｂに貼着されているため、側壁１１Ａ，１１Ｂ間の隙間を広げることはできない。しかし、端壁２７Ｂの側は、端壁２７Ｂと側壁１１Ａ，１１Ｂとの間に、重畳された連続部４２ａ，４２ｂが存在するため、復元力が作用し、側壁１１Ａ，１１Ｂ間の隙間が自然に広がる。そのため、内部に商品１を収容させる作業性を向上できる。なお、この際には、本実施形態では、支持壁２１を折曲線２６に沿って折り曲げた状態で内向きに折り込むことにより、商品１の側部を支持させる。また、端壁２７Ａの稜部から内向きに傾斜して延びる位置決め片３３，３３の間に商品１の頭部１ａを配置して位置決めする。
【００２８】
そして、商品１の収容後には、貼着部１６の裏面側に熱溶融樹脂を塗布し、蓋壁１３および封緘代１５を折り曲げ、側壁１１Ｂの表面に貼着することにより、図３に示すように封緘する（第１封緘状態）。
【００２９】
また、包装箱を開封して商品１を取り出す場合には、貼着されていない挿入係止部１７と側壁１１Ｂとの間に指を差し込み、図４および図５に示すように、引き上げることにより第２破断線２０に沿って破断し、引き続いて第１破断線１８に沿って破断することにより、蓋壁１３を開放することができる。なお、この開封状態では、前記収容作業の場合と同様に、端壁２７Ｂの側で側壁１１Ａ，１１Ｂ間の隙間が自然に広がるため、取出作業性を向上できる。
【００３０】
さらに、この状態で、商品１を再び収容させる場合には、蓋壁１３および挿入係止部１７を折り曲げ、該挿入係止部１７を支持壁２１の挿入孔部２２に差し込むことにより、再封緘することができる（第２封緘状態）。
【００３１】
なお、本発明の包装箱は、前記実施形態の構成に限定されるものではなく、種々の変更が可能である。
【００３２】
例えば、前記実施形態では、１つの商品１のみを収容する構成としたが、図７に示すように、第１の側壁１１Ａに第２の側壁１１Ｂを連設することにより、２つの商品１を個別に収容できる構成としてもよい。
【００３３】
また、前記実施形態では、一方の端壁２７Ｂのみ内向きに窪む緩衝部３７を形成する構成としたが、端壁２７Ａ，２７Ｂの両方に緩衝部３７を形成する構成としてもよい。
【００３４】
さらに、前記実施形態では、蓋壁１３を一体に連設する構成としたが、別体の蓋によって側壁１１Ａ，１１Ｂおよび端壁２７Ａ，２７Ｂで囲繞された上端開口を閉塞する構成としてもよい。
【００３５】
さらにまた、前記端壁２７Ｂを底に配置して包装箱を緩衝材のように使用してもよい。この場合、端壁２７Ａを設けない構成としてもよい。
【図面の簡単な説明】
【００３６】
【図１】本発明の包装箱のブランクを示す平面図である。
【図２】封緘前の包装箱を示す斜視図である。
【図３】封緘状態の包装箱を示す斜視図である。
【図４】開封状態の包装箱を示す斜視図である。
【図５】図５の平面図である。
【図６】（Ａ），（Ｂ）は従来の問題点を説明するための要部平面図である。
【図７】包装箱の変形例を示す斜視図である。
【符号の説明】
【００３７】
１…商品
１０…底壁
１１Ａ，１１Ｂ…側壁
１３…蓋壁
１５…封緘代
２１…支持壁
２７Ａ，２７Ｂ…端壁
３３…位置決め片
３６…折返壁
４２…連続壁
４２ａ…第１連続部
４２ｂ…第２連続部
４３…第１折曲線
４４…第２折曲線
４５…第３折曲線
４８…抜部
４９ａ，４９ｂ…第１縁部
５０ａ，５０ｂ…第２縁部
【図１】
2007331775.tif 000003
【図２】
2007331775.tif 000004
【図３】
2007331775.tif 000005
【図４】
2007331775.tif 000006
【図５】
2007331775.tif 000007
【図６】
2007331775.tif 000008
【図７】
2007331775.tif 000009